(57)【要約】【課題】送風ダクトや吸込みダクトを分岐し、複数の室内を同時に冷暖房することがあり、ダクト長やダクトの曲がりそして分岐数により、吸込みユニットからの吸気風量が各室内で異なり、温度のバラツキや吸気風量のバラツキが発生するという課題があり、各室内の吸気風量を安定し快適環境を創り出すことを目的とする。【解決手段】室内機１０３の冷暖房調整と室内に備えた吸込みユニット１０７による風量制御により、ダクト長やダクトの曲がりそして分岐数による風路の抵抗を考慮することなく、安定した吸気風量で空気調和した空気を室内１１１に循環することができる空気調和機を得られる。【選択図】図１
2007032998.tif 000002
【特許請求の範囲】
【請求項１】
室外機と、前記室外機より冷媒配管により接続されている熱交換器を備えた室内機と、前記室内機とダクトで接続され室内の空気を吸込む吸気モータと吸気ファンを備えた吸込みユニットと、前記室内機とダクトで接続され室内に空気を吹出す吹出しユニットを備えたことを特徴とする空気調和機。
【請求項２】
吸込みユニットは、吸気ファンと吸気モータを制御する吸気制御手段を備え、前記吸気制御手段は、吸気モータの電流値検出手段より検出した電流をマイクロコンピュータが読込み吸気風量を制御することを特徴とする請求項１記載の空気調和機。
【請求項３】
室内の空気を吸込む吸込みユニットと前記吸込みユニットとダクトにより分岐ユニットが接続され、前記分岐ユニットの一方がダクトにより室内機に接続され、さらに他方が屋外に接続され前記分岐ユニットの分岐制御手段により風路を切換えることを特徴とする請求項１記載の空気調和機。
【請求項４】
分岐ユニットの分岐制御手段は、前記分岐ユニットに設けたセンサーにより検出された室内の空気のよごれ具合により、風路を切り換えることを特徴とする請求項１記載の空気調和機。
【請求項５】
分岐ユニットの制御手段は、室内の二酸化炭素濃度により、風路を切り換えることを特徴とする請求項１記載の空気調和機。
【請求項６】
分岐ユニットの制御手段は、室内の二酸化炭素濃度により、風路を切り換え、吸込みユニットにより風量を増加することを特徴とする請求項１記載の空気調和機。
【請求項７】
分岐ユニットの制御手段は、室内の一酸化炭素濃度により、風路を切り換えることを特徴とする請求項１記載の空気調和機。
【請求項８】
分岐ユニットの制御手段は、室内の一酸化炭素濃度により、風路を切り換え、吸込みユニットにより風量を増加することを特徴とする請求項１記載の空気調和機。
【請求項９】
分岐ユニットの制御手段は、室内の粉塵量により、風路を切り換えることを特徴とする請求項１記載の空気調和機。
【請求項１０】
分岐ユニットの制御手段は、室内の粉塵量により、風路を切り換え、吸込みユニットにより風量を増加することを特徴とする請求項１記載の空気調和機。
【請求項１１】
分岐ユニットの制御手段は、室内のホルムアルデヒドにより、風路を切り換えることを特徴とする請求項１記載の空気調和機。
【請求項１２】
分岐ユニットの制御手段は、室内のホルムアルデヒドにより、風路を切り換え、吸込みユニットにより風量を増加することを特徴とする請求項１記載の空気調和機。
【請求項１３】
分岐ユニットの制御手段は、室内のアンモニアにより、風路を切り換えることを特徴とする請求項１記載の空気調和機。
【請求項１４】
分岐ユニットの制御手段は、室内のアンモニアにより、風路を切り換え、吸込みユニットにより風量を増加することを特徴とする請求項１記載の空気調和機。
【請求項１５】
吸込みユニットに、室内の人を確認する人感制御手段を設け、人の有無により風量を変化することができることを特徴とする請求項１記載の空気調和機。
【請求項１６】
前記人感制御ユニットは、在室人数により分岐ユニットの風路を変え、風量を変化することができることを特徴とする請求項１記載の空気調和機。
【請求項１７】
吸込みユニットに温度検出手段と温度制御手段を設け、吸込みユニットに設けた吸気制御手段にリモコンを接続し、リモコンの設定温度により吸込みユニットにより風量を制御することを特徴とする空気調和機。
【請求項１８】
各室内の吸気制御手段と室内機制御手段を接続し、前記室内機制御手段は室外機に接続され、各室内の冷暖房能力により室外機内部に設けたコンプレッサーの周波数を制御することを特徴とする請求項１６の空気調和機。
【発明の詳細な説明】
【技術分野】
【０００１】
本発明は、空気調和機の室内機内部に使用している吸気ファンを室内機本体から無くし、吸込みユニットに吸気ファンを設ける冷暖房ユニットに関する。
【背景技術】
【０００２】
従来、この種の空気調和機は、室内機本体に送風用の吸気ファンを設けたものが知られている（例えば、特許文献１参照）。
【０００３】
以下、その空気調和機について図１９および図２０を参照しながら説明する。
【０００４】
図１９に示すように、室外機１０１は冷媒配管１０２により室内機１０３に接続され、室内機１０３内部には熱交換器１０４と送風室内ファン１０５を備え、送風室内ファン１０５から熱交換器１０４を通った冷風または暖風は、送風ダクト１０６へと送られる。室内からの空気は吸込みユニット１０７から吸込まれることになる。また、吹出しユニット１０８は、室内機１０３からの空気を吹出し、吸込みユニット１０７から吸込みダクト１０９を介して室内機１０３に送られ、冷風あるいは暖風は循環される。
【０００５】
また、図２０に示すように、送風ダクト１０６や吸込みダクト１０９を分岐して複数の室内を同時に冷房または暖房することが多く、リモコン１１０の設置している室内がリモコン１１０の設定温度となるように室内機１０３が制御しており、各室内１１１に対して吸込みユニット１０７と吹出しユニット１０８が一対以上備えられている空気調和機が知られている。
【特許文献１】特開２００３−２８７２７１号公報
【発明の開示】
【発明が解決しようとする課題】
【０００６】
このような従来の空気調和機では、送風ダクトや吸込みダクトを分岐し、複数の室内を同時に冷暖房することがあり、ダクト長やダクトの曲がりそして分岐数により、吸込みユニットからの吸気風量が各室内で異なり、温度のバラツキや吸気風量のバラツキが発生するという課題があり、安定した吸気風量が要求されている。
【０００７】
本発明は、このような従来の課題を解決するものであり、各室内の吸気風量を安定し快適環境を創り出すことができる空気調和機を提供することを目的としている。
【０００８】
また、従来の空気調和機では、室内の機密性能によって吸込みユニットからの吸気風量が安定しないという課題があり、冷暖房能力を確保する上で吸気風量を一定にすることが要求されている。
【０００９】
本発明は、このような従来の課題を解決するものであり、室内の気密状況に関係なく吸込みユニットからの吸気風量を一定にし、室内の温度を一定にすることができる空気調和機を提供することを目的としている。
【００１０】
また、従来の空気調和機では、室内の空気が汚れているとき早急に空気の入れ替えすることを要求されている。
【００１１】
本発明は、このような従来の課題を解決するものであり、室内の汚れた空気を早急に屋外に排気することができる空気調和機を提供することを目的としている。
【００１２】
また、従来の空気調和機では、センサーで検出した室内の汚れた空気を早急に排気することが要求されている。
【００１３】
本発明は、このような従来の課題を解決するものであり、センサーが室内の汚れを検出すると早急に屋外に排気することができる空気調和機を提供することを目的としている。
【００１４】
また、従来の空気調和機では、室内の二酸化炭素濃度が上昇しても通常動作するだけであり、二酸化炭素濃度を低減することが要求されている。
【００１５】
本発明は、このような従来の課題を解決するものであり、二酸化炭素濃度が上昇すると、室内の空気を屋外に排気し二酸化炭素濃度を低減することができる空気調和機を提供することを目的としている。
【００１６】
また、従来の空気調和機では、室内の二酸化炭素濃度が上昇しても通常動作するだけであり、二酸化炭素濃度を急速に低減することが要求されている。
【００１７】
本発明は、このような従来の課題を解決するものであり、二酸化炭素濃度が上昇すると、室内の空気を屋外に排気すると共に吸込みユニットの吸気風量を増加し、屋外に排気する排気量を増加することにより二酸化炭素濃度を急速に低減できる空気調和機を提供することを目的としている。
【００１８】
また、従来の空気調和機では、室内の一酸化炭素濃度が上昇しても通常動作するだけであり、一酸化炭素濃度を低減することが要求されている。
【００１９】
本発明は、このような従来の課題を解決するものであり、一酸化炭素濃度が上昇すると、室内の空気を屋外に排気し一酸化炭素濃度を低減することができる空気調和機を提供することを目的としている。
【００２０】
また、従来の空気調和機では、室内の一酸化炭素濃度が上昇しても通常動作するだけであり、一酸化炭素濃度を急速に低減することが要求されている。
【００２１】
本発明は、このような従来の課題を解決するものであり、一酸化炭素濃度が上昇すると、室内の空気を屋外に排気すると共に吸込みユニットの吸気風量を増加し、排気する排気量を増加することにより一酸化炭素濃度を急速に低減できる空気調和機を提供することを目的としている。
【００２２】
また、従来の空気調和機では、室内の粉塵量が上昇しても通常動作するだけであり、粉塵を低減することが要求されている。
【００２３】
本発明は、このような従来の課題を解決するものであり、粉塵が上昇すると、室内の空気を屋外に排気し粉塵量を低減することができる空気調和機を提供することを目的としている。
【００２４】
また、従来の空気調和機では、室内の粉塵が上昇しても通常動作するだけであり、粉塵を急速に低減することが要求されている。
【００２５】
本発明は、このような従来の課題を解決するものであり、粉塵が上昇すると、室内の空気を屋外に排気すると共に吸込みユニットの吸気風量を増加し、屋外に排気する排気量を増加することにより粉塵量を急速に低減できる空気調和機を提供することを目的としている。
【００２６】
また、従来の空気調和機では、室内のホルムアルデヒド濃度が上昇しても通常動作するだけであり、ホルムアルデヒド濃度を低減することが要求されている。
【００２７】
本発明は、このような従来の課題を解決するものであり、ホルムアルデヒド濃度が上昇すると、室内の空気を屋外に排気しホルムアルデヒド濃度を低減することができる空気調和機を提供することを目的としている。
【００２８】
また、従来の空気調和機では、室内のホルムアルデヒド濃度が上昇しても通常動作するだけであり、ホルムアルデヒド濃度を急速に低減することが要求されている。
【００２９】
本発明は、このような従来の課題を解決するものであり、ホルムアルデヒド濃度が上昇すると、室内の空気を屋外に排気すると共に吸込みユニットの吸気風量を増加し、屋外に排気する排気量を増加することによりホルムアルデヒド濃度を急速に低減できる空気調和機を提供することを目的としている。
【００３０】
また、従来の空気調和機では、室内のアンモニア濃度が上昇しても通常動作するだけであり、アンモニア濃度を低減することが要求されている。
【００３１】
本発明は、このような従来の課題を解決するものであり、アンモニア濃度が上昇すると、室内の空気を屋外に排気しアンモニア濃度を低減することができる空気調和機を提供することを目的としている。
【００３２】
また、従来の空気調和機では、室内のアンモニア濃度が上昇しても通常動作するだけであり、アンモニア濃度を急速に低減することが要求されている。
【００３３】
本発明は、このような従来の課題を解決するものであり、アンモニア濃度が上昇すると、室内の空気を屋外に排気すると共に吸込みユニットの吸気風量を増加し、屋外に排気する排気量を増加することによりアンモニア濃度を急速に低減できる空気調和機を提供することを目的としている。
【００３４】
また、従来の空気調和機では、室内に在室している人を確認し、在室している人数に応じた吸気風量を出し快適環境を創り出すことが要求されていた。
【００３５】
本発明は、このような従来の課題を解決するものであり、在室人数により、吸込みユニットからの吸気風量を制御することができる空気調和機を提供することを目的としている。
【００３６】
また、従来の空気調和機では、室内に在室している人を確認し、タバコの臭いやＣＯ↓２などの嫌な臭いを排出することが要求されている。
【００３７】
本発明は、このような従来の課題を解決するものであり、在室を検出すると、室内の嫌な臭いを屋外に排気することができる空気調和機を提供することを目的としている。
【００３８】
また、従来の空気調和機では、１個のリモコンで１本の送風ダクトや吸込みダクトを分岐し、個々の室内を空調すると各室内に温度差が生ずることが課題であり、各室内の温度を自由に設定できることが要求されている。
【００３９】
本発明は、このような従来の課題を解決するものであり、各室内にリモコンを設置して自由に温度設定でき快適環境を創り出す空気調和機を提供することを目的としている。
【００４０】
また、従来の空気調和機では、１個のリモコンで１本の送風ダクトや吸込みダクトを分岐し、個々の室内を空調する空気調和機では、リモコンの設置してある室内がリモコンの設定温度になると、室外機のコンプレッサー能力を低下するが、細かくコンプレッサー能力を制御し省エネすることが要求されている。
【００４１】
本発明は、このような従来の課題を解決するものであり、各室内の室内温度が各室内に設けたリモコンの設定温度になると、各室内の温度状況により室外機のコンプレッサー能力を細かく制御し消費電力を削減できる空気調和機を提供することを目的としている。
【課題を解決するための手段】
【００４２】
本発明の空気調和機は上記目的を達成するために、室内機内に送風用のファンを設けることなく、室内機と室内に設けた吸込みユニットを吸込みダクトにより接続したものである。
【００４３】
この手段により室内の吸気風量は、ダクト長やダクトの曲がりそして分岐数による風路の抵抗を考慮することなく、安定した吸気風量で吸込むことができる空気調和機が得られる。
【００４４】
また、本発明の空気調和機は上記目的を達成するために、吸込みユニットに設けた吸気モータの電流値をマイコンが読み取るものである。
【００４５】
この手段により、マイコンは吸気モータの回転数と検出した電流値より、吸気モータの回転数を制御して吸気風量を一定にすることができる空気調和機が得られる。
【００４６】
また、本発明の空気調和機は上記目的を達成するために、吸込みユニットと分岐ユニットをダクトにより接続し、分岐ユニットを制御するものである。
【００４７】
この手段により室内の汚れた空気を屋外に排出することができる空気調和機が得られる。
【００４８】
また、本発明の空気調和機は上記目的を達成するために、分岐ユニットにセンサーを設けるものである。
【００４９】
この手段により、センサーの検出値で、分岐ユニットを制御し、室内の汚れた空気を屋外に排出することができる空気調和機が得られる。
【００５０】
また、本発明の空気調和機は上記目的を達成するために、分岐ユニットにＣＯ↓２センサーを設けるものである。
【００５１】
この手段により、ＣＯ↓２センサーの検出値により、分岐ユニットを制御し、室内の空気を屋外に排出し、ＣＯ↓２濃度を低減することができる空気調和機が得られる。
【００５２】
また、本発明の空気調和機は上記目的を達成するために、分岐ユニットにＣＯ↓２センサーを設け、ＣＯ↓２センサーの値を読込む分岐制御手段と吸気制御手段を電線により接続するものである。
【００５３】
この手段により、ＣＯ↓２センサーの検出値により、分岐ユニットを制御し、室内の空気を屋外に排出し、さらに、吸込みユニットの吸気風量を増加し、ＣＯ↓２濃度を急速に低減することができる空気調和機が得られる。
【００５４】
また、本発明の空気調和機は上記目的を達成するために、分岐ユニットにＣＯセンサーを設けるものである。
【００５５】
この手段により、ＣＯセンサーの検出値により、分岐ユニットを制御し、室内の空気を屋外に排出し、ＣＯ濃度を低減することができる空気調和機が得られる。
【００５６】
また、本発明の空気調和機は上記目的を達成するために、分岐ユニットにＣＯセンサーを設け、ＣＯセンサーの値を読込む分岐制御手段と吸気制御手段を電線により接続するものである。
【００５７】
この手段により、ＣＯセンサーの検出値により、分岐ユニットを制御し、室内の空気を屋外に排出し、さらに、吸込みユニットの吸気風量を増加し、ＣＯ濃度を急速に低減することができる空気調和機が得られる。
【００５８】
また、本発明の空気調和機は上記目的を達成するために、分岐ユニットに粉塵センサーを設けるものである。
【００５９】
この手段により、粉塵センサーの検出値により、分岐ユニットを制御し、室内の空気を屋外に排出し、粉塵量を低減することができる空気調和機が得られる。
【００６０】
また、本発明の空気調和機は上記目的を達成するために、分岐ユニットに粉塵センサーを設け、粉塵センサーの値を読込む分岐制御手段と吸気制御手段を電線により接続するものである。
【００６１】
この手段により、粉塵センサーの検出値により、分岐ユニットを制御し、室内の空気を屋外に排出し、さらに、吸込みユニットの吸気風量を増加し、粉塵量を急速に低減することができる空気調和機が得られる。
【００６２】
また、本発明の空気調和機は上記目的を達成するために、分岐ユニットにＶＯＣセンサーを設けるものである。
【００６３】
この手段により、ＶＯＣセンサーの検出値により、分岐ユニットを制御し、室内の空気を屋外に排出し、ＶＯＣ濃度を低減することができる空気調和機が得られる。
【００６４】
また、本発明の空気調和機は上記目的を達成するために、分岐ユニットにＶＯＣセンサーを設け、ＶＯＣセンサーの値を読込む分岐制御手段と吸気制御手段を電線により接続するものである。
【００６５】
この手段により、ＶＯＣセンサーの検出値により、分岐ユニットを制御し、室内の空気を屋外に排出し、さらに、吸込みユニットの吸気風量を増加し、ＶＯＣ濃度を急速に低減することができる空気調和機が得られる。
【００６６】
また、本発明の空気調和機は上記目的を達成するために、分岐ユニットにアンモニアセンサーを設けるものである。
【００６７】
この手段により、アンモニアセンサーの検出値により、分岐ユニットを制御し、室内の空気を屋外に排出し、アンモニア濃度を低減することができる空気調和機が得られる。
【００６８】
また、本発明の空気調和機は上記目的を達成するために、分岐ユニットにアンモニアセンサーを設け、アンモニアセンサーの値を読込む分岐制御手段と吸気制御手段を電線により接続するものである。
【００６９】
この手段により、アンモニアセンサーの検出値により、分岐ユニットを制御し、室内の空気を屋外に排出し、さらに、吸込みユニットの吸気風量を増加し、アンモニア濃度を急速に低減することができる空気調和機が得られる。
【００７０】
また、本発明の空気調和機は上記目的を達成するために、吸込みユニットに人感センサーを設け、人感センサーの値を読込む吸込み制御手段と吸気制御手段を電線により接続するものである。
【００７１】
この手段により、室内の在室人数により吸込みユニットの吸気風量を制御することができる空気調和機が得られる。
【００７２】
また、本発明の空気調和機は上記目的を達成するために、吸込みユニットに人感センサーを設け、人感センサーの値を人感制御手段と分岐制御手段と吸気制御手段を電線により接続するものである。
【００７３】
この手段により、室内に在室している人を確認し、室内の汚れた空気を分岐ユニットにより屋外に排出し吸込みユニットの吸気風量を制御することができる空気調和機が得られる。
【００７４】
また、本発明の空気調和機は上記目的を達成するために、吸込みユニットに温度検出手段と温度制御手段を設け、吸気制御手段に温度制御手段とリモコンを電線により接続するものである。
【００７５】
この手段により、各室内ごとに備えたリモコンで室内温度を自由に設定できる空気調和機が得られる。
【００７６】
また、本発明の空気調和機は上記目的を達成するために、各室内に設けた吸込みユニットの吸気制御手段は、室内機の室内制御手段へ電線により接続されるものである。
【００７７】
この手段により、各室内の冷暖房能力に応じた室外機のコンプレッサー周波数を室内外接続線で室外機にデータ送信することにより必要上にコンプレッサー周波数を上げることなく省エネ効果のある空気調和機が得られる。
【発明の効果】
【００７８】
本発明によれば室内機に送風用のファンを設けることなく、また、ダクト長やダクトの曲がりそして分岐数を考慮することなく、各室内に吹出す吸気風量を安定することができる効果のある空気調和機を提供できる。
【００７９】
また、本発明によれば吸込みユニットに設けた吸気ファンの電流を検出し、吸気ファンの吸気風量を一定にできる効果のある空気調和機を提供できる。
【００８０】
また、本発明によれば吸込みユニットに分岐ユニットを設け、室内の汚れた空気を屋外に排気することができる効果のある空気調和機を提供できる。
【００８１】
また、本発明によればセンサーを分岐ユニットに設け、分岐ユニットの風路を切換えることにより、室内の汚れた空気を屋外に排気することができる効果のある空気調和機を提供できる。
【００８２】
また、本発明によれば二酸化炭素濃度により分岐ユニットの風路を切換え、室内の二酸化炭素を屋外に排気し、二酸化炭素濃度を低減することができる効果のある空気調和機を提供できる。
【００８３】
また、本発明によれば二酸化炭素濃度により分岐ユニットの風路を切換え、室内の二酸化炭素を屋外に排気し、屋外に排気するときは、吸気ファンの吸気風量を増加して二酸化炭素濃度を急速に低減することができる効果のある空気調和機を提供できる。
【００８４】
また、本発明によれば一酸化炭素濃度により分岐ユニットの風路を切換え、室内の一酸化炭素を屋外に排気し、一酸化炭素濃度を低減することができる効果のある空気調和機を提供できる。
【００８５】
また、本発明によれば一酸化炭素濃度により分岐ユニットの風路を切換え、室内の一酸化炭素を屋外に排気し、屋外に排気するときは、吸気ファンの吸気風量を増加して一酸化炭素濃度を急速に低減することができる効果のある空気調和機を提供できる。
【００８６】
また、本発明によれば粉塵濃度により分岐ユニットの風路を切換え、室内の粉塵を屋外に排気し、粉塵濃度を低減することができる効果のある空気調和機を提供できる。
【００８７】
また、本発明によれば粉塵濃度により分岐ユニットの風路を切換え、室内の粉塵を屋外に排気し、屋外に排気するときは、吸気ファンの吸気風量を増加して粉塵濃度を急速に低減することができる効果のある空気調和機を提供できる。
【００８８】
また、本発明によればホルムアルデヒド濃度により分岐ユニットの風路を切換え、室内のホルムアルデヒドを屋外に排気し、ホルムアルデヒド濃度を低減することができる効果のある空気調和機を提供できる。
【００８９】
また、本発明によればホルムアルデヒド濃度により分岐ユニットの風路を切換え、室内のホルムアルデヒドを屋外に排気し、屋外に排気するときは、吸込みファンの吸気風量を増加してホルムアルデヒド濃度を急速に低減することができる効果のある空気調和機を提供できる。
【００９０】
また、本発明によればアンモニア濃度により分岐ユニットの風路を切換え、室内のアンモニアを屋外に排気し、アンモニア濃度を低減することができる効果のある空気調和機を提供できる。
【００９１】
また、本発明によればアンモニア濃度により分岐ユニットの風路を切換え、室内のアンモニアを屋外に排気し、屋外に排気するときは、さらに吸気ファンの吸気風量を増加してアンモニア濃度を急速に低減することができる効果のある空気調和機を提供できる。
【００９２】
また、本発明によれば吸込みユニットに設けた人感制御手段により、室内に人を確認すると吸込みファンの吸気風量を増加し、快適環境を創り出すことができる空気調和機を提供できる。
【００９３】
また、本発明によれば吸込みユニットに設けた人感制御手段により、室内に人を確認すると分岐ユニットにより、室内のタバコの臭いやＣＯ↓２を屋外に排出することができる効果のある空気調和機を提出できる。
【００９４】
また、本発明によれば吸込みユニットにサーミスターを設け、サーミスターの検出温度と吸込みユニットに接続されているリモコンの設定温度が同一になるように吸込みユニットの吸気風量を制御し、各室内ごとに温度制御ができる効果のある空気調和機を提供できる。
【００９５】
また、本発明によれば各室内に設けた吸込みユニットからの冷暖房能力データを室内制御手段が加減し、その情報を室外機にコンプレッサー周波数の情報として転送し、室外機が必要以上の電力消費をしないよう省エネ効果のある空気調和機を提供できる。
【発明を実施するための最良の形態】
【００９６】
本発明の請求項１記載の発明は、室外機と、前記室外機より冷媒配管により接続されている熱交換器を備えた室内機と、前記室内機は吸込みユニットをダクトで接続し、前記吸込みユニットには、吸気モータと吸気ファンを備えたものであり、室内の空気を直接、吸気モータと吸気ファンにより吸込むことにより、各室内に吸気風量を安定することができ、また均一化できる作用を有する。
【００９７】
また、吸込みユニットは、吸気ファンと吸気モータを制御する吸気制御手段を備え、前記吸気制御手段は、吸気モータの電流値検出手段より検出した電流をマイクロコンピュータが読込み吸気風量を制御するものであり吸気風量を一定にすることができる。
【００９８】
また、室内の空気を吸込むための吸込みユニットと前記吸込みユニットとダクトにより分岐ユニットが接続され、前記分岐ユニットの一方がダクトにより室内機に接続され、さらに一方が屋外に接続され前記分岐ユニットの分岐制御手段により風路を切換え室内の空気を入れ替えることができる。
【００９９】
また、分岐ユニットの制御手段は、前記分岐ユニットに設けたセンサーにより自動的に風路を切換え室内の空気を入れ替えることができる。
【０１００】
また、分岐ユニットの制御手段は、室内の二酸化炭素濃度により、分岐ユニットの風路を自動的に切換え室内の空気を入れ替えることができる。
【０１０１】
また、分岐ユニットの制御手段は、室内の二酸化炭素濃度により、分岐ユニットの風路を自動的に切換え、吸込みユニットにより吸気風量を増加し、室内の空気を入れ替える時間を短縮ことができる。
【０１０２】
また、分岐ユニットの制御手段は、室内の一酸化炭素濃度により、分岐ユニットの風路を自動的に切換え室内の空気を入れ替えることができる。
【０１０３】
また、分岐ユニットの制御手段は、室内の一酸化炭素濃度により、分岐ユニットの風路を自動的に切換え、吸込みユニットにより吸気風量を増加し、室内の空気を入れ替える時間を短縮ことができる。
【０１０４】
また、分岐ユニットの制御手段は、室内の粉塵量により、分岐ユニットの風路を自動的に切換え室内の空気を入れ替えることができる。
【０１０５】
また、分岐ユニットの制御手段は、室内の粉塵量により、分岐ユニットの風路を自動的に切換え、吸込みユニットにより吸気風量を増加し、室内の空気を入れ替える時間を短縮ことができる。
【０１０６】
また、分岐ユニットの制御手段は、室内のホルムアルデヒド濃度により、分岐ユニットの風路を自動的に切換え室内の空気を入れ替えることができる。
【０１０７】
また、分岐ユニットの制御手段は、室内のホルムアルデヒド濃度により、分岐ユニットの風路を自動的に切換え、吸込みユニットにより吸気風量を増加し、室内の空気を入れ替える時間を短縮ことができる。
【０１０８】
また、分岐ユニットの制御手段は、室内のアンモニア濃度により、分岐ユニットの風路を自動的に切換え室内の空気を入れ替えることができる。
【０１０９】
また、分岐ユニットの制御手段は、室内のアンモニア濃度により、分岐ユニットの風路を自動的に切換え、吸込みユニットにより吸気風量を増加し、室内の空気を入れ替える時間を短縮ことができる。
【０１１０】
また、吸込みユニットに、室内の人を確認する人感制御手段を設け、人の有無により吸気風量を変化するものであり室内の温度変化を短時間で安定することができる。
【０１１１】
また、前記人感制御ユニットは、在室人数により分岐ユニットの風路を自動的に変え、吸気風量を変化するものであり、短時間で室内を換気することができる。
【０１１２】
また、吸込みユニットに温度検出手段と温度制御手段を設け、吸込みユニットに設けた吸気制御手段にリモコンを接続し、リモコンの設定温度により吸込みユニットの吸気風量を制御するものであり、個々の室内を簡単に温度制御することができる。
【０１１３】
また、各室内の吸気制御手段と室内機制御手段を接続し、前記室内機制御手段は室外機に接続され、各室内の冷暖房能力により室外機内部に設けたコンプレッサーの周波数を制御するものであり、必要以上にコンプレッサーを回転させることなく省エネすることができる。
【０１１４】
以下、本発明の実施の形態について図面を参照しながら説明する。
【０１１５】
（実施の形態１）
従来と同一部分は同一番号を符し、詳細な説明は省略する。
【０１１６】
図１に示すように、室外機１０１は冷媒配管１０２により室内機１０３に接続され、室内機１０３内部には熱交換器１０４を備え、室内機１０３は、吸込みダクト１０９を介し、吸込みユニット１０７に接続されており、吸込みユニット１０７の内部には、吸気モータ１により駆動される吸気ファン２を備え、室内１１１には吸込みユニットと吹出しユニット１０８を備えた構成とされている。
【０１１７】
上記構成において、室内機１０３に備えられた熱交換器１０４を通過した冷風または暖風は、送風ダクト１０６を通り吹出しユニット１０８より室内１１１に送風さら、さらに室内１１１に設けた吸込みユニット１０７内の吸気ファン２により、吸込みダクト１０９を介し、室内機１０３に送られ各室内１１１の冷房または暖房をすることとなり、ダクト長やダクトの曲がりそして分岐数による空気抵抗を考慮することなく、室内の空気を直接、吸気モータと吸気ファンにより吸込むことにより、安定な風量を得ることができ、各室内１１１に吸気する吸気風量を安定に、均一に吸込むことができる。吸込みユニット１０７から吸気された吸込みダクト１０９を介して室内機１０３にはいり、室内機１０３に備えられた熱交換器１０４を通り、吹出しユニット１０８から各室内１１１に吹出し循環空気となる。
【０１１８】
吸気ファン２と吸気モータ１を備えた吸込みユニット１０７を各室内１１１に備えている結果、冷房または暖房などの空気調和された空気が各室内に安定に、均一に吸込まれることとなる。
【０１１９】
（実施の形態２）
従来、実施の形態１と同一部分は同一番号を符し、詳細な説明は省略する。
【０１２０】
図２に示すように、吸込みユニット１０７内部の吸気モータ１は、吸気制御手段３のモータ駆動手段４と駆動電線５により接続され、駆動電線５の電流を検出するための電流検出手段６に接続され、モータ駆動手段４はマイコン７に接続されている。
【０１２１】
上記構成により、吸気モータ１の回転数は、マイコン７が決定されており、マイコン７内部のＲＯＭ（図示せず）には、吸気モータ１の回転数に対する理想的な電流値データ（図示せず）を持っており、電流検出手段６で検出した値と比較し、差がある場合には、マイコン７は、電流値データ（図示せず）に近づくように、吸気モータ１の回転数を上昇または下降し吸気風量の一定化を行う。例えば、電流値データと電流検出手段６を減算し、電流値データが大きいときは、吸気モータ１の回転数を下降し、電流値データが小さいときは、吸気モータ１の回転数を上昇するようにマイコン７は吸気モータ１を制御する。
【０１２２】
なお、吸気制御手段３としては、上記制御内容がプログラムされたものであり、モータ駆動や他のユニットと通信するためのソフトがプログラムされたマイコンやモータ駆動の半導体やモータに流れている電流を検出する部品を搭載した基板などがあり、マイコンは、モータを駆動するためのＰＷＭ信号を与えるソフトがプログラムされているものである。
【０１２３】
なお、モータ駆動手段４としては、モータを駆動すれば良く、例えばトランジスタやＦＥＴなどの駆動素子などがある。
【０１２４】
なお、電流検出手段６としては、モータ電流を検出できれば良く、カーレントトランスやシャント抵抗による電流検出などがある。
【０１２５】
（実施の形態３）
従来例、実施の形態１、２と同一部分は同一番号を符し、詳細な説明は省略する。
【０１２６】
図３に示すように、吸込みユニット１０７と分岐ユニット８を分岐ダクト１２で接続し、分岐ユニット８は、室内の空気を循環するため循環ダクト１０で室内機１０３と接続され、さらに、分岐ユニット８は室内の空気を屋外に排出するために屋外ダクト１１に接続され、風路の切換えは分岐制御手段９によって制御される。分岐ユニット８は、風路を切換えるためのダンパー板１３と分岐制御手段９を備え、そのダンパー板１３と分岐制御手段９はケースで覆われている。また、分岐制御手段９は、風路を切換えるためのダンパー板１３を制御するものであり、ダンパー板１３を動かすためのダンパーモータやステッピングモータやソレノイドとそれを駆動する半導体とマイコンからなる。
【０１２７】
上記構成により、室内の空気が汚れている場合は、分岐ユニット８のダンパー板１３を屋外に風路を切換え、吸込みユニット１０７から吸込まれた室内の空気を屋外ダクト１１を介して屋外に排気し、室内の空気が清浄な場合は、分岐制御手段９によりダンパー板１３を動かし室内機１０３側に切換え、室内の空気を循環ダクト１０を介して室内機１０３に送風し、循環させるようにすることができるものである。
【０１２８】
（実施の形態４）
従来例、実施の形態１乃至３と同一部分は同一番号を符し、詳細な説明は省略する。
【０１２９】
図４に示すように、吸込みユニット１０７と分岐ユニット８を分岐ダクト１２で接続し、分岐ユニット８内部のダンパー板１３を室外側に室内の空気取り入れ口近くにセンサー１４を設け、センサー１４は分岐制御手段９に接続されている。
【０１３０】
上記構成により、室内の空気のよごれをセンサー１４が検出すると、分岐制御手段９が分岐ユニット８内部のダンパー板１３を室内機１０３に風路を切換えよごれた室内の空気を急速に屋外に排出することができる。
【０１３１】
なお、汚れを検出するセンサー１４は粉塵センサーなどがある。
【０１３２】
（実施の形態５）
従来例、実施の形態１乃至４と同一部分は同一番号を符し、詳細な説明は省略する。
【０１３３】
図５に示すように、吸込みユニット１０７と分岐ユニット８を分岐ダクト１２で接続し、分岐ユニット８の室内からの空気取り入れ口近くにＣＯ↓２センサー１５を設け、ＣＯ↓２センサー１５は分岐制御手段９に接続されている。
【０１３４】
上記構成により、室内空気の二酸化炭素濃度はＣＯ↓２センサー１５が検出し、ＣＯ↓２濃度が１０００ｐｐｍ以上になると分岐制御手段９が分岐ユニット８内部のダンパー板１３を室外側に風路を切換え、ＣＯ↓２濃度が上昇した室内の空気を屋外に排出し、さらにＣＯ↓２センサー１５が１０００ｐｐｍ以下を検出すると分岐制御手段９が分岐ユニット８内部のダンパー板１３を室内機１０３に風路を切換え、循環ダクト１０を介し室内機１０３に空気を送り込むことができ、ＣＯ↓２濃度を低減することができる。
【０１３５】
なお、風路切換えのＣＯ↓２濃度を一例としてビル管理法の１０００ｐｐｍとしたが、さまざまな環境により異なった値とする。
【０１３６】
（実施の形態６）
従来例、実施の形態１乃至５と同一部分は同一番号を符し、詳細な説明は省略する。
【０１３７】
図６に示すように、吸込みユニット１０７と分岐ユニット８を分岐ダクト１２で接続し、分岐ユニット８の室内の空気取り入れ口近くにＣＯ↓２センサー１５を設け、ＣＯ↓２センサー１５は分岐制御手段９に接続され分岐ユニット接続電線１６により吸込みユニット１０７の吸気制御手段３に接続されている。
【０１３８】
上記構成により、室内の空気の二酸化炭素濃度はＣＯ↓２センサー１５が検出し、ＣＯ↓２濃度が１０００ｐｐｍ以上になると分岐制御手段９が分岐ユニット８内部のダンパー板１３を室外側に風路を切換え、さらに分岐ユニット接続電線１６を介し吸気制御手段３に対して吸込みユニット１０７の吸気風量を増加するように信号を送信し、ＣＯ↓２濃度が上昇した室内の空気を早急に屋外に排出し、さらにＣＯ↓２センサー１５が１０００ｐｐｍ以下を検出すると、分岐制御手段９が分岐ユニット８内部のダンパー板１３を室内機１０３に風路を切換え循環ダクト１０を介し室内機１０３に空気を送り込むとともに、分岐ユニット接続電線１６を介し吸気制御手段３に対して吸込みユニット１０７の吸気風量を通常に戻すように信号を送信することにより、室内の二酸化炭素濃度を急速に低減できる。
【０１３９】
（実施の形態７）
従来例、実施の形態１乃至６と同一部分は同一番号を符し、詳細な説明は省略する。
【０１４０】
図７に示すように、吸込みユニット１０７と分岐ユニット８を分岐ダクト１２で接続し、分岐ユニット８の室内の空気取り入れ口近くにＣＯセンサー１７を設け、ＣＯセンサー１７は分岐制御手段９に接続されている。
【０１４１】
上記構成により、室内の空気の一酸化炭素濃度はＣＯセンサー１７が検出し、ＣＯ濃度が１０ｐｐｍ以上になると分岐制御手段９が分岐ユニット８内部のダンパー板１３を室外側に風路を切換えＣＯ濃度が上昇した室内の空気を屋外に排出し、さらにＣＯセンサー１７が１０ｐｐｍ以下を検出すると分岐制御手段９が分岐ユニット８内部のダンパー板１３を室内機１０３に風路を切換え循環ダクト１０を介し室内機１０３に空気を送り込むことができ、ＣＯ濃度を低減することができる。
【０１４２】
なお、風路切換えのＣＯ濃度を一例としてビル管理法の１０ｐｐｍとしたが、さまざまな環境により異なった値とする。
【０１４３】
（実施の形態８）
従来例、実施の形態１乃至７と同一部分は同一番号を符し、詳細な説明は省略する。
【０１４４】
図８に示すように、吸込みユニット１０７と分岐ユニット８を分岐ダクト１２で接続し、分岐ユニット８の室内の空気取り入れ口近くにＣＯセンサー１７を設け、ＣＯセンサー１７は分岐制御手段９に接続され分岐ユニット接続電線１６により吸込みユニット１０７の吸気制御手段３に接続されている。
【０１４５】
上記構成により、室内の空気の一酸化炭素濃度はＣＯセンサー１７が検出し、ＣＯ濃度が１０ｐｐｍ以上になると分岐制御手段９が分岐ユニット８内部のダンパー板１３を室外側に風路を切換え、さらに分岐ユニット接続電線１６を介し吸気制御手段３に対して吸込みユニット１０７の吸気風量を増加するように信号を送信し、ＣＯ濃度が上昇した室内の空気を早急に屋外に排出し、さらにＣＯセンサー１７が１０ｐｐｍ以下を検出すると、分岐制御手段９が分岐ユニット８内部のダンパー板１３を室内機１０３に風路を切換え循環ダクト１０を介して室内機１０３に空気を送り込むとともに、分岐ユニット接続電線１６を介し吸気制御手段３に対して吸込みユニット１０７の吸気風量を通常に戻すように信号を送信することにより、室内の一酸化炭素濃度を急速に低減できる。
【０１４６】
（実施の形態９）
従来例、実施の形態１乃至８と同一部分は同一番号を符し、詳細な説明は省略する。
【０１４７】
図９に示すように、吸込みユニット１０７と分岐ユニット８を分岐ダクト１２で接続し、分岐ユニット８の室内の空気取り入れ口近くに粉塵センサー１８を設け、粉塵センサー１８は分岐制御手段９に接続されている。
【０１４８】
上記構成により、室内の空気の粉塵量は粉塵センサー１８が検出し、粉塵量が０．１５ｍｇ以上になると分岐制御手段９が分岐ユニット８内部のダンパー板１３を室外側に風路を切換え粉塵量が上昇した室内の空気を屋外に排出し、さらに粉塵センサー１８が０．１５ｍｇ以下を検出すると分岐制御手段９が分岐ユニット８内部のダンパー板１３を室内機１０３に風路を切換え循環ダクト１０を介し室内機１０３に空気を送り込むことができ、粉塵量を低減することができる。
【０１４９】
なお、風路切換えの粉塵量を一例としてビル管理法の空気１ｍ↑３につき０．１５ｍｇとしたが、さまざまな環境により異なった値とする。
【０１５０】
（実施の形態１０）
従来例、実施の形態１乃至９と同一部分は同一番号を符し、詳細な説明は省略する。
【０１５１】
図１０に示すように、吸込みユニット１０７と分岐ユニット８を分岐ダクト１２で接続し、分岐ユニット８の室内の空気取り入れ口近くに粉塵センサー１８を設け、粉塵センサー１８は分岐制御手段９に接続され分岐ユニット接続電線１６により吸込みユニット１０７の吸気制御手段３に接続されている。
【０１５２】
上記構成により、室内の空気の粉塵量は粉塵センサー１８が検出し、粉塵量が０．１５ｍｇ以上になると分岐制御手段９が分岐ユニット８内部のダンパー板１３を室外側に風路を切換え、さらに分岐ユニット接続電線１６を介し吸気制御手段３に対して吸込みユニット１０７の吸気風量を増加するように信号を送信し、粉塵量が上昇した室内の空気を早急に屋外に排出し、さらに粉塵センサー１８が０．１５ｍｇ以下を検出すると、分岐制御手段９が分岐ユニット８内部のダンパー板１３を室内機１０３に風路を切換え循環ダクト１０を介し室内機１０３に空気を送り込むとともに、分岐ユニット接続電線１６を介し吸気制御手段３に対して吸込みユニット１０７の吸気風量を通常に戻すように信号を送信することにより室内の粉塵量を急速に低減できる。
【０１５３】
分岐ユニット８の風路を切換え、よごれた室内の空気を屋外に排出することができる。
【０１５４】
（実施の形態１１）
従来例、実施の形態１乃至１０と同一部分は同一番号を符し、詳細な説明は省略する。
【０１５５】
図１１に示すように、吸込みユニット１０７と分岐ユニット８を分岐ダクト１２で接続し、分岐ユニット８の室内の空気取り入れ口近くにＶＯＣセンサー１９を設け、ＶＯＣセンサー１９は分岐制御手段９に接続されている。
【０１５６】
上記構成により、室内の空気のホルムアルデヒドはＶＯＣセンサー１９が検出し、ＶＯＣ濃度が０．０８ｐｐｍ以上になると分岐制御手段９が分岐ユニット８内部のダンパー板１３を室外側に風路を切換えＶＯＣ濃度が上昇した室内の空気を屋外に排出し、さらにＶＯＣセンサー１９が０．０８ｐｐｍ以下を検出すると分岐制御手段９が分岐ユニット８内部のダンパー板１３を室内機１０３に風路を切換え循環ダクト１０を介し室内機１０３に空気を送り込むことができ、ＶＯＣ濃度を低減することができる。
【０１５７】
なお、風路切換えのＶＯＣ濃度を一例としてビル管理法の０．０８ｐｐｍとしたが、さまざまな環境により異なった値とする。
【０１５８】
（実施の形態１２）
従来例、実施の形態１乃至１１と同一部分は同一番号を符し、詳細な説明は省略する。
【０１５９】
図１２に示すように、吸込みユニット１０７と分岐ユニット８を分岐ダクト１２で接続し、分岐ユニット８の室内の空気取り入れ口近くにＶＯＣセンサー１９を設け、ＶＯＣセンサー１９は分岐制御手段９に接続され分岐ユニット接続電線１６により吸込みユニット１０７の吸気制御手段３に接続されている。
【０１６０】
上記構成により、室内の空気のホルムアルデヒド濃度はＶＯＣセンサー１９が検出し、ＶＯＣ濃度が０．０８ｐｐｍ以上になると分岐制御手段９が分岐ユニット８内部のダンパー板１３を室外側に風路を切換え、さらに分岐ユニット接続電線１６を介し吸気制御手段３に対し吸込みユニット１０７の吸気風量を増加するように信号を送信し、ＶＯＣ濃度が上昇した室内の空気を早急に屋外に排出し、さらにＶＯＣセンサー１９が０．０８ｐｐｍ以下を検出すると分岐制御手段９が分岐ユニット８内部のダンパー板１３を室内機１０３に風路を切換え循環ダクト１０を介し室内機１０３に空気を送り込むとともに分岐ユニット接続電線１６を介し吸気制御手段３に対し吸込みユニット１０７の吸気風量を通常に戻すように信号を送信することにより室内のホルムアルデヒド濃度を急速に低減できる。
【０１６１】
（実施の形態１３）
従来例、実施の形態１乃至１２と同一部分は同一番号を符し、詳細な説明は省略する。
【０１６２】
図１３に示すように、吸込みユニット１０７と分岐ユニット８を分岐ダクト１２で接続し、分岐ユニット８の室内の空気取り入れ口近くにアンモニアセンサー２０を設け、アンモニアセンサー２０は分岐制御手段９に接続されており、さらに分岐ユニット８は、室内の空気を屋外に排出する屋外ダクト１１と室内の空気を循環するための循環ダクト１０を接続し循環ダクト１０は室内機１０３に接続されている。
【０１６３】
上記構成により、室内の空気のアンモニア濃度はアンモニアセンサー２０が検出し、アンモニア濃度が１ｐｐｍ以上になると分岐制御手段９が分岐ユニット８内部のダンパー板１３を室外側に屋外ダクト１１の風路を切換えアンモニア濃度が上昇した室内の空気を屋外に排出し、さらにアンモニアセンサー２０が１ｐｐｍ以下を検出すると分岐制御手段９が分岐ユニット８内部のダンパー板１３を室内機１０３に風路を切換え循環ダクト１０を介し室内機１０３に空気を送り込むことができ、アンモニア濃度を低減することができる。
【０１６４】
（実施の形態１４）
従来例、実施の形態１乃至１３と同一部分は同一番号を符し、詳細な説明は省略する。
【０１６５】
図１４に示すように、吸込みユニット１０７と分岐ユニット８を分岐ダクト１２で接続し、分岐ユニット８の室内の空気取り入れ口近くにアンモニアセンサー２０を設け、アンモニアセンサー２０は分岐制御手段９に接続され分岐ユニット接続電線１６により吸込みユニット１０７の吸気制御手段３に接続され、また、分岐ユニット８は、室内の空気を屋外に排出する屋外ダクト１１と室内の空気を循環するための循環ダクト１０を接続し循環ダクト１０は室内機１０３に接続されている。
【０１６６】
上記構成により、室内の空気のアンモニア濃度はアンモニアセンサー２０が検出し、アンモニア濃度が１ｐｐｍ以上になると分岐制御手段９が分岐ユニット８内部のダンパー板１３を室外側に風路を切換え、さらに分岐ユニット接続電線１６を介し吸気制御手段３に対し吸込みユニット１０７の吸気風量を増加するように信号を送信し、アンモニア濃度が上昇した室内の空気を早急に屋外に排出し、さらにアンモニアセンサー２０が１ｐｐｍ以下を検出すると分岐制御手段９が分岐ユニット８内部のダンパー板１３を室内機１０３に風路を切換え循環ダクト１０を介し室内機１０３に空気を送り込むとともに分岐ユニット接続電線１６を介し吸気制御手段３に対し吸込みユニット１０７の吸気風量を通常に戻すように信号を送信することにより室内のアンモニア濃度を急速に低減できる。
【０１６７】
（実施の形態１５）
従来例、実施の形態１乃至１４と同一部分は同一番号を符し、詳細な説明は省略する。
【０１６８】
図１５に示すように、吹出しユニット１０８に人感センサー２１を設け、人感センサー２１は人感制御手段２２に接続されており、人感制御手段２２は人感センサー接続電線ａ２３ａにより吸込みユニット１０７の吸気制御手段３と接続されている。
【０１６９】
上記構成により、人感センサー２１により室内に人を確認すると人感制御手段２２は人感センサー接続電線ａ２３ａを介し吸込みユニット１０７の吸気制御手段３に対し吸込みユニット１０７の吸気風量を増加するように信号を送信し、室内の温度変化を短時間で安定することができる。なお、人感センサー２１としては、赤外センサーがある。人感制御手段２２の一例として、人感センサー２１の値を検出する電圧検出素子とマイコンと吸気制御手段３と通信するためのトランジスタやホトカプラー等を備えたものであり、室内に人を確認すると人感制御手段２２は人感センサー接続電線ａ２３ａを介し吸込みユニット１０７の吸気制御手段３に対し吸込みユニット１０７の吸気風量を増加するように信号を送信するようにプログラムされたマイコンを備えたものである。
【０１７０】
（実施の形態１６）
従来例、実施の形態１乃至１５と同一部分は同一番号を符し、詳細な説明は省略する。
【０１７１】
図１６に示すように、吸込みユニット１０７に人感センサー２１を設け、人感センサー２１は人感制御手段２２に接続されており、吸込みユニット１０７は分岐ユニット８と分岐ダクト１２で接続し、分岐ユニット８は、室内の空気を屋外に排出する屋外ダクト１１と室内の空気を循環するための循環ダクト１０を接続し循環ダクト１０は室内機１０３に接続されており、さらに、人感制御手段２２は人感センサー接続電線ｂ２３ｂにより、分岐制御手段９に接続され、さらに吸込みユニット１０７の吸気制御手段３に分岐ユニット接続電線１６により接続されている。
【０１７２】
上記構成により、人感センサー２１により室内に人を確認すると人感制御手段２２は人感センサー接続電線ｂ２３ｂを介し、分岐制御手段９に対し、風路を屋外ダクト１１に切換え、さらに、分岐制御手段９は吸込みユニット１０７の吸気制御手段３に吸気風量を増加する信号を送信し、室内のタバコなどの臭いやＣＯ↓２を急速に低減できる。
【０１７３】
なお、本実施例では、人感制御手段２２を分岐制御手段９に接続したが、人感制御手段２２を吸気制御手段３に接続しても同様の効果が得られる。人感センサー２１としては、人を検知できれば良く、焦電型赤外線センサーなどがある。
【０１７４】
（実施の形態１７）
従来例、実施の形態１乃至１６と同一部分は同一番号を符し、詳細な説明は省略する。
【０１７５】
図１７に示すように、吸込みユニット１０７にサーミスター２４を設け、サーミスター２４は温度制御手段２５に接続され温度接続電線２６により吸込みユニット１０７の吸気制御手段３に接続されており、吸気制御手段３は各室内に設置されているリモコン１１０と接続されている。
【０１７６】
上記構成により、吸気制御手段３は、リモコン１１０からの設定温度を認識し、サーミスター２４が検出した値を温度制御手段２５より温度接続電線２６を介して受信し、リモコン１１０の設定温度と温度制御手段２５からのデータを比較し、冷房の場合にはリモコン１１０の設定温度が高いときは、吸込みユニット１０７の吸気風量を増加し、リモコン１１０の設定温度が低いときは、吸込みユニット１０７の吸気風量を停止することにより、各室内ごとの温度設定が可能となる。温度制御手段２５の一例としては、サーミスター２４の検出値を読み込み、リモコン１１０の設定温度と温度制御手段２５からのデータを比較し、冷房の場合にはリモコン１１０の設定温度が高いときは、吸込みユニット１０７の吸気風量を増加し、リモコン１１０の設定温度が低いときは、吸込みユニット１０７の吸気風量を停止するようにプログラムされたマイコンと吸気制御手段３と通信するためのトランジスタやホトカプラー等を備えたものである。
【０１７７】
なお、本実施例では、室内に吹出しユニット１０８と吸込みユニット１０７を各１個ずつ設置した説明を行ったが室内に複数のユニットを取り付けることで、短時間で室内温度をリモコンの設定温度にすることが可能である。
【０１７８】
また、本実施例では、温度制御手段２５と吸気制御手段３を分離して説明したが、一体化してコストダウンすることも可能である。
【０１７９】
（実施の形態１８）
従来例、実施の形態１乃至１７と同一部分は同一番号を符し、詳細な説明は省略する。
【０１８０】
図１８に示すように、吸込みユニット１０７にサーミスター２４を設け、サーミスター２４は温度制御手段２５に接続され温度接続電線２６により吸込みユニット１０７の吸気制御手段３に接続されており、吸気制御手段３は各室内１１１に設置されているリモコン１１０と信号線２９を介して室内機１０３の室内制御手段２７に接続されており、室内制御手段２７は室内外接続電線２８を介し室外機１０１に接続されている。
【０１８１】
上記構成により、吸気制御手段３は、リモコン１１０からの設定温度を認識し、サーミスター２４が検出した値を温度制御手段２５より温度接続電線２６を介して受信し、リモコン１１０の設定温度と温度制御手段２５からのデータを比較し、冷房の場合にはリモコン１１０の設定温度が高いときは、吸気制御手段３は吸込みユニット１０７の吸気風量を増加するとともに室内機１０３に対し、室外能力増加信号（図示せず）を送信し、室内機１０３は各室内１１１に設置している吸気制御手段３からの室外能力増加信号（図示せず）を加算し、室外機１０１のコンプレッサー周波数信号（図示せず）として室内外接続電線２８を介して送信し、リモコン１１０の設定温度が低いときは、吸込みユニット１０７の吸気風量を停止し、室外能力不要信号（図示せず）を室内機１０３に対し送信し、室内機１０３は、各吸気制御手段３からの室外能力増加信号（図示せず）や室外能力不要信号（図示せず）を加算し、室外機１０１のコンプレッサー周波数信号として室内外接続電線２８を介して送信することにより、システムの消費電力を低減できる。
【０１８２】
室内制御手段２７の一例としては、各室内１１１に設置している吸気制御手段３からの室外能力増加信号（図示せず）を加算し、室外機１０１のコンプレッサー周波数信号として室内外接続電線２８を介して送信し、リモコン１１０の設定温度が低いときは、吸込みユニット１０７の吸気風量を停止し、室外能力不要信号（図示せず）を室内機１０３に対し送信し、室内機１０３は、各吸気制御手段３からの室外能力増加信号（図示せず）や室外能力不要信号（図示せず）を加算し、室外機１０１のコンプレッサー周波数信号として室内外接続電線２８を介して送信するようにプログラムされたマイコンを備え、各室内１１１に備えている吸気制御手段３と通信するためのトランジスタやホトカプラー等を備えたものである。
【産業上の利用可能性】
【０１８３】
空気調和機内部の吸気ファンをなくし、吸込み口に送風用ファンを設けことにより、ダクト長やダクトの曲がりそして分岐数を気にすることなく施工できることにより、浴室暖房乾燥機や換気扇にも適用できる。
【図面の簡単な説明】
【０１８４】
【図１】本発明の実施の形態１の構成図
【図２】本発明の実施の形態２の構成図
【図３】本発明の実施の形態３の構成図
【図４】本発明の実施の形態４の構成図
【図５】本発明の実施の形態５の構成図
【図６】本発明の実施の形態６の構成図
【図７】本発明の実施の形態７の構成図
【図８】本発明の実施の形態８の構成図
【図９】本発明の実施の形態９の構成図
【図１０】本発明の実施の形態１０の構成図
【図１１】本発明の実施の形態１１の構成図
【図１２】本発明の実施の形態１２の構成図
【図１３】本発明の実施の形態１３の構成図
【図１４】本発明の実施の形態１４の構成図
【図１５】本発明の実施の形態１５の構成図
【図１６】本発明の実施の形態１６の構成図
【図１７】本発明の実施の形態１７の構成図
【図１８】本発明の実施の形態１８の構成図
【図１９】従来の空気調和機の構成図
【図２０】同構成図
【符号の説明】
【０１８５】
１      吸気モータ
２      吸気ファン
３      吸気制御手段
４      モータ駆動手段
５      駆動電線
６      電流検出手段
７      マイコン
８      分岐ユニット
９      分岐制御手段
１０    循環ダクト
１１    屋外ダクト
１２    分岐ダクト
１３    ダンパー板
１４    センサー
１５    ＣＯ↓２センサー
１６    分岐ユニット接続電線
１７    ＣＯセンサー
１８    粉塵センサー
１９    ＶＯＣセンサー
２０    アンモニアセンサー
２１    人感センサー
２２    人感制御手段
２３ａ  人感センサー接続電線ａ
２３ｂ  人感センサー接続電線ｂ
２４    サーミスター
２５    温度制御手段
２６    温度接続電線
２７    室内制御手段
２８    室内外接続電線
２９    信号線
１０１  室外機
１０２  冷媒配管
１０３  室内機
１０４  熱交換器
１０５  送風室内ファン
１０６  送風ダクト
１０７  吸込みユニット
１０８  吹出しユニット
１０９  吸込みダクト
１１０  リモコン
１１１  室内
【図１】
2007032998.tif 000003
【図２】
2007032998.tif 000004
【図３】
2007032998.tif 000005
【図４】
2007032998.tif 000006
【図５】
2007032998.tif 000007
【図６】
2007032998.tif 000008
【図７】
2007032998.tif 000009
【図８】
2007032998.tif 000010
【図９】
2007032998.tif 000011
【図１０】
2007032998.tif 000012
【図１１】
2007032998.tif 000013
【図１２】
2007032998.tif 000014
【図１３】
2007032998.tif 000015
【図１４】
2007032998.tif 000016
【図１５】
2007032998.tif 000017
【図１６】
2007032998.tif 000018
【図１７】
2007032998.tif 000019
【図１８】
2007032998.tif 000020
【図１９】
2007032998.tif 000021
【図２０】
2007032998.tif 000022